(57)【要約】【課題】  従来、物干し具として、四角な枠体から多くの洗濯挟みがぶら下げてあるものがあった。これを使用して洗濯物を干す時には、多くの洗濯挟みを１つ１つ開閉操作するという作業をしなければならなかったが、これは手間のかかることであった。また、洗濯挟みには強いバネが組み込んであるから、指の力が衰えた高齢者等にとっては、洗濯挟みを手早く確実に開閉操作することは、ひと苦労であった。【解決手段】  物干し具１２を、押え体１と物干し具本体５とで構成する。物干し具本体５は、平行して配設された受け網支持棒６Ａを有しており、これに受け網７が垂れ下がるように掛けられている。受け網７はリール１０に巻かれており、垂れ下がりの長さを調節することが出来る。受け網支持棒６Ａに洗濯物を掛け、その上に押え体１を置く。押え体１の下面にはカバー網３が弛く張られており、洗濯物は上下で網に挟まれるから落下しない。【選択図】        図１
0003111215.tif 000002
【実用新案登録請求の範囲】
【請求項１】
全体として四角形をし、その短手方向部分より端部が立ち上げられ長手方向に平行に配設された複数の受け網支持棒（６Ａ）を有する受け網支持部（６）と、
該受け網支持部（６）の長手方向の一方の側に設置されたリール（１０）と、
該リール（１０）に一端が取り付けられて巻かれ、他端が前記受け網支持部（６）の長手方向の他方の側に取り付けられ、前記受け網支持棒（６Ａ）の間に垂れ下がるよう掛けられた受け網（７）と
を具えた物干し具本体（５）と、
全体として四角形をしたカバー網支持枠（２）と、
該カバー網支持枠（２）の短手方向の部分に端部を置き、長手方向に平行となるよう取り付けられた中間支持棒（２Ａ）と、
前記カバー網支持枠（２）と前記中間支持棒（２Ａ）の下面に弛むように取り付けられたカバー網（３）と
を具えた押え体（１）と
から構成され、
前記押え体（１）の前記カバー網支持枠（２）および中間支持棒（２Ａ）が、前記物干し具本体（５）の前記受け網支持棒（６Ａ）の間に嵌まるように置いて使用する
ことを特徴とする物干し具（１２）。
【請求項２】
受け網支持棒（６Ａ）の側面の内、向かいに他の受け網支持棒（６Ａ）がある側面に、隙間を開けて添え棒（６Ｂ）を設け、該受け網支持棒（６Ａ）に掛けられる受け網（７）が該隙間を通って掛けられるようにしたことを特徴とする請求項１記載の物干し具（１２）。
【請求項３】
押え体（１）を物干し具本体（５）の上に置いた時に互いに係合するための係合部（４，８）を、前記押え体（１）および前記物干し具本体（５）にそれぞれ設けたことを特徴とする請求項１または２記載の物干し具（１２）。
【考案の詳細な説明】
【技術分野】
【０００１】
本考案は、洗濯物を干す際に、洗濯挟みをいちいち使わないでも干せるようにした物干し具に関するものである。
【背景技術】
【０００２】
洗濯物を干すための物干し具としては、従来、四角や円形のプラスチック製枠体に、多くの洗濯挟みをブラブラとぶら下げたものが良く知られている。
これを使って洗濯物を干すには、靴下など小さい洗濯物の場合は１個の洗濯挟みで吊り下げて干し、下着などの大きい洗濯物の場合は、２以上の洗濯挟みを使い、適当な間隔を置いて挟んで吊り下げ、干していた。
【考案の開示】
【考案が解決しようとする課題】
【０００３】
洗濯挟みで挟んで落ちないようにするという従来の干し方には、次のような問題点があった。
第１の問題点は、洗濯物を干す時および取り入れる時に、洗濯挟みを１つ１つ確実に開閉操作しなければならず、手間や労力がかかるという点である。
洗濯挟みで干す時は、周知のように、洗濯挟みの端を親指と人指し指とで挟むことにより、バネの力に抗して洗濯挟みの口を開け、その口に洗濯物を差し入れ、指を放してバネの力で挟む。このバネの力は、相当の風が吹いても洗濯物が外れないようにするため、かなり強いものが用いられている。乾いた洗濯物を取り入れる時は、同様に親指と人指し指とで挟んで洗濯挟みの口を開け、洗濯物をその口から外す。
【０００４】
洗濯物を干す時と取り入れる時には、上記のような開閉操作を、洗濯挟みで挟むべき箇所の数だけ、何回も何回も行う必要がある。しかし、挟む箇所は洗濯物の数の何倍もあるわけであるから、この手間は大変なものであった。物干しに要する手間とは、洗濯挟みの開閉操作の手間と言っても過言ではない位である。
また、高齢者等の身体機能が衰えた人にとっては、次のような事情も加わり、労力も大変であった。
【０００５】
即ち、洗濯挟みを開く際に親指と人指し指が出すべき力の方向は、同じ直線上にあってしかも丁度逆の方向になっていなければならない。バネの力はかなり強いから、指の力が弱いと、開こうとして力を入れても指がグラグラし、力の方向がきちんと定まらないことがある。一寸でも方向がずれると、洗濯挟みはうまく開いてくれない。ところが、高齢になると指の力が衰えているから、なかなかこれがうまく行えず、この開閉操作を確実に行うという労力も大変になる。
このように、洗濯挟みは、通常の成人には造作なく扱うことが出来るものかも知れないが、高齢者等には、手早く扱えるというものではない。
第２の問題点は、洗濯物がむき出しのままブラ下げられているので、下着泥棒に目を付けられ易いという点である。
本考案は、以上のような問題点を解決することを課題とするものである。
【課題を解決するための手段】
【０００６】
前記課題を解決するため、本考案では、全体として四角形をし、その短手方向部分より端部が立ち上げられ長手方向に平行に配設された複数の受け網支持棒を有する受け網支持部と、該受け網支持部の長手方向の一方の側に設置されたリールと、該リールに一端が取り付けられて巻かれ、他端が前記受け網支持部の長手方向の他方の側に取り付けられ、前記受け網支持棒の間に垂れ下がるよう掛けられた受け網とを具えた物干し具本体と、全体として四角形をしたカバー網支持枠と、該カバー網支持枠の短手方向の部分に端部を置き、長手方向に平行となるよう取り付けられた中間支持棒と、前記カバー網支持枠と前記中間支持棒の下面に弛むように取り付けられたカバー網とを具えた押え体とから構成され、前記押え体の前記カバー網支持枠および中間支持棒が、前記物干し具本体の前記受け網支持棒の間に嵌まるように置いて使用する物干し具を提供する。
【０００７】
なお、この物干し具において、受け網支持棒の側面の内、向かいに他の受け網支持棒がある側面に、隙間を開けて添え棒を設け、該受け網支持棒に掛けられる受け網が該隙間を通って掛けられるようにしてもよい。
また、押え体を物干し具本体の上に置いた時に互いに係合するための係合部を、前記押え体および前記物干し具本体にそれぞれ設け、両者の係合をより一層確実にするようにしてもよい。
【考案の効果】
【０００８】
本考案の物干し具によれば、洗濯物を干す際は、物干し具本体の受け網支持棒に洗濯物を掛けて並べ、その上に押え体を置くだけで良い。また、干した洗濯物を取り入れる際は、押え体を上に持ち上げるか取り除くかして、受け網支持棒に掛けられている洗濯物を取り入れるだけで良い。即ち、洗濯挟みを全く使用することなく、洗濯物を干したり取り入れたりすることが可能となる。
従って、多くの洗濯挟みを１つ１つ開閉操作する必要がなくなり、大幅に手間がかからなくなる。また、洗濯挟みの開閉操作が手早く出来なくなっている高齢者等にとって、洗濯挟みを用いる場合に比べ、労力もかからなくなる。
更に、洗濯物が網で挟まれた形で干されており、洗濯物が何であるかが一見しただけでは分かりにくくなるので、下着泥棒に目を付けられにくくなる。
【考案を実施するための最良の形態】
【０００９】
以下、本考案の実施形態を図面に基づいて詳細に説明する。
図１は、本考案の物干し具を示す図である。図１において、１は押え体、２はカバー網支持枠、２Ａは中間支持棒、２Ｂは網固定棒、３はカバー網、４は係合部、５は物干し具本体、６は受け網支持部、６Ａは受け網支持棒、６Ｂは添え棒、７は受け網、８は係合部、９はハンドル、１０はリール、１１は吊りひも、１２は物干し具である。
本考案の物干し具１２は、大きく分けて押え体１と物干し具本体５とから構成されている。図１（１）は押え体１を示し、図１（２）は物干し具本体５を示し、図１（３）は押え体１と物干し具本体５とが合体された状態の物干し具１２を示している。
【００１０】
押え体１は、図１（１）で示すように、主としてカバー網支持枠２と中間支持棒２Ａとカバー網３とで構成される。カバー網支持枠２は、全体として四角形をしており、その枠内には何本かの（図１（１）では２本の）中間支持棒２Ａが、長手方向に平行に適当な間隔を置いて設けられる。
カバー網支持枠２および中間支持棒２Ａの下面には、カバー網３が取り付けられる。しかし、カバー網３は、ピンと緊張するように張るのではなく、多少緩むように張る。その理由は、図１（３）のように物干し具本体５と合体する際、嵌まり込むようにするためである。
カバー網３の両端は、カバー網支持枠２の長手方向部分に直接取り付けても良いし、図１に示すように該長手方向部分の外側に添わせて設けた網固定棒２Ｂに取り付けるようにしてもよい。
更に、カバー網支持枠２の短手方向部分の外側のほぼ中央には、必要に応じて係合部４を設けてもよい。この係合部４は、物干し具本体５との係合を行うためのものである。
【００１１】
物干し具本体５は、図１（２）に示すように、主として受け網支持部６と受け網７とリール１０とで構成される。受け網支持部６は、全体として四角形をしており、長手方向に平行に配設された何本かの（図１（２）では５本の）受け網支持棒６Ａを有している。この受け網支持棒６Ａは、端部が短手方向部分より少し立ち上がる形で設けられている。そのように立ち上げている理由は、押え体１と合体した時、立ち上がりの高さの部分でお互いが確実に嵌まり合うようにするためである。
【００１２】
受け網支持棒６Ａの側面の内、向かいに他の受け網支持棒６Ａがあるという側面には、添え棒６Ｂが設けられる。
図２は、物干し具本体５の受け網支持棒６Ａ付近を説明する図である。断面を拡大して模式的に示しているが、添え棒６Ｂとそれが添わせられている受け網支持棒６Ａとの間の隙間は、受け網７を充分通し得る程度の間隔としておく。これにより、受け網７の垂れる長さが調節し易くなると共に、受け網７が風に吹き上げられた場合等に、添え棒６Ｂで押さえて受け網７の位置や長さが簡単に変わってしまうのを防止することが出来る。
【００１３】
図１（２）に戻るが、受け網支持部６の端に位置する受け網支持棒６Ａのいずれか一方には、リール１０が設けられ、これに受け網７が巻かれている。受け網支持部６の端に位置する受け網支持棒６Ａの他方には、受け網７の端部が取り付けられる（なお、受け網支持部６に直接取り付けるのではなく、後で説明するが図３で示すように、その受け網支持部６に添わせて設けた網固定棒６Ｃに取り付けるようにしてもよい。）。
受け網７は、受け網支持棒６Ａの上から掛けるが、受け網支持棒６Ａ間では下方に垂れるように掛ける。垂らす長さは洗濯物の大きさに応じて適宜調節することが出来るが、その調節は、受け網７をリール１０から引き出したり、巻き取ったりすることにより行う。
【００１４】
ハンドル９は、リール１０を回転させるためのものである。ハンドル９の部分は、折り畳み自在の構造とし、リール１０を回転させる時には引き起こして使い、用が済めばパチンと折り畳んで、邪魔にならないような構造のものを採用してもよい。
受け網支持部６の短手方向部分の外側のほぼ中央（押え体１を物干し具本体５に合体した場合に前記係合部４と対応する位置）には、必要に応じて係合部８を設けてもよい。係合部８の構造としては、前記の係合部４と簡単に係合させたり、外せたりするものが望ましい（図１（２）に示す係合部８は棒状の突起であるが、これは図１（１）に示す輪状の係合部４と簡単に係合させたり、外せたりするものの１例である。）。
吊りひも１１は、物干し具本体５をどこかに吊るすためのものである。
【００１５】
押え体１を物干し具本体５に合体させることにより、図１（３）に示すように、物干し具１２が構成されるわけであるが、その合体のさせ方は、次のようにする。
押え体１のカバー網支持枠２および中間支持棒２Ａが、物干し具本体５の受け網支持棒６Ａの間に嵌まるように、上から静かに置くことにより合体させる。そして、もし係合部４，８が設けられていれば、それらを係合する。
係合部４，８の他の例としては、一方を回動自在のフックとし、他方を受け網支持部６自体としても良い。フックを回動して、受け網支持部６に引っ掛ける。或いは、他方をカギ形状の突出部としても良い。その場合は、フックを回動してその突出部と係合する。
【００１６】
図３は、本考案の物干し具の使用の仕方を断面的に見て説明する図である。符号は図１，図２のものに対応している。物干し具本体５では、受け網支持棒６Ａに受け網７が掛けられ、その受け網７はリール１０に巻かれているわけであるが、これに洗濯物１３のような大きな洗濯物（肌シャツ等）を干す場合には、それを掛ける部分の受け網７は、洗濯物１３を収容し得る程に大きく垂れ下がらせる。そうするには、受け網７を手で引っ張ってリール１０より引き出す。一方、洗濯物１４のような小さな洗濯物（靴下等）を干す場合には、それを掛ける部分の受け網７の垂れ下がりは少なくてよいから、リール１０で少し巻き取る。
【００１７】
洗濯物１３，１４を掛けた後、押え体１を載せる。その際、カバー網支持枠２や中間支持棒２Ａが、受け網支持棒６Ａの間に嵌まるようにして載せる。
図４は、本考案の物干し具の使用の仕方を斜視的に見て説明する図であり、符号は図１のものに対応している。物干し具本体５の上に干したい洗濯物１５，１６を掛け、その上から押え体１を置いて、風で飛ばないようにする。
このようにして干された洗濯物は、むき出しのままではなく受け網７とカバー網３とで挟まれた形となるから、少し離れた所から見た場合、網に惑われて洗濯物が下着であるかどうか分かりにくくなる。そのため、下着泥棒に目を付けられ難くなる。なお、網目を少し細かくすると、この作用効果は高められる。
【００１８】
図５は、押え体１と物干し具本体５とをひもで連結した物干し具を示す図である。符号は図１のものに対応し、１７は吊りひも連結体、１８は吊りひもである。
図１等では、押え体１は物干し具本体５とは連結されていないものとして説明して来たが、両者はひもを介して連結されたものとしてもよい。両者が連結されていないと、一方が（例えば押え体１が）紛失してしまったり、離れたところに置かれたりして物干し作業時に支障を来すことがある。しかし、両者が連結されていれば、そのような心配はなくなる。図５は、連結するようにした一例を示すものである。
【００１９】
吊りひも連結体１７には、物干し具本体５を吊るための吊りひも１１と、押え体１を吊るための吊りひも１８とが取り付けられている。即ち、押え体１と物干し具本体５とは、吊りひも連結体１７を介して連結されている。このようにしておけば、両者がバラバラに置かれたり、一方が紛失したりする恐れがない。
押え体１の吊りひも１８の長さは、物干し具本体５に嵌まり合う位置に押え体１を下げられる程度の長さとしておく必要がある。図５では、手で押え体１を持ち上げている状態を示しているので、吊りひも１８はピンと張ってはおらず、緩んでいる。
なお、吊りひも連結体１７の上には、吊りひも連結体１７自体を吊るためのひも（或いは棒）が付けられている。
【図面の簡単な説明】
【００２０】
【図１】本考案の物干し具を示す図
【図２】物干し具本体の受け網支持棒付近を説明する図
【図３】本考案の物干し具の使用の仕方を断面的に見て説明する図
【図４】本考案の物干し具の使用の仕方を斜視的に見て説明する図
【図５】押え体と物干し具本体とをひもで連結した物干し具を示す図
【符号の説明】
【００２１】
１…押え体、２…カバー網支持枠、２Ａ…中間支持棒、２Ｂ…網固定棒、３…カバー網、４…係合部、５…物干し具本体、６…受け網支持部、６Ａ…受け網支持棒、６Ｂ…添え棒、６Ｃ…網固定棒、７…受け網、８…係合部、９…ハンドル、１０…リール、１１…吊りひも、１２…物干し具、１３，１４，１５，１６…洗濯物、１７…吊りひも連結体、１８…吊りひも
【図１】
0003111215.tif 000003
【図２】
0003111215.tif 000004
【図３】
0003111215.tif 000005
【図４】
0003111215.tif 000006
【図５】
0003111215.tif 000007